(57)【要約】【課題】横向きの耐張碍子などを備えている引留具を取り付けた腕金を安全に、また、架線が電線の場合に、通電した状態であっても交換することができるようにした腕金交換装置を提供する。【解決手段】この腕金交換装置は、架線１００に沿う方向に電柱に仮固定される固定部材１０と、傾倒姿勢と起立姿勢とに姿勢が転換するように固定部材１０の先端側に立設された揺動部材２０と、固定部材１０と揺動部材２０とに架け渡され、揺動部材２９の姿勢を転換させる操作手段３０と、揺動部材２０と架線１００とを連結する連結部材４０と、一端部側が揺動部材２０にスライド自在にされ、他端部側が耐張碍子１１１ａの方に向けられバー５０と、バー５０の他端部に取り付けられ、耐張碍子１１１ａを保持する碍子保持部材６０とを備えている。また、バー５０の他端部側をスライド自在に支持する支持部材７０が固定部材１０の基端側から耐張碍子１１１ａの方に向けて立設されている。【選択図】図１
2010273435.tif 000002
【特許請求の範囲】
【請求項１】
電柱に固定され、かつ、１個又は直列に連結された複数個の横向きの耐張碍子を備えている引留具が取り付けられた腕金を交換するための腕金交換装置であって、
架線に沿う方向に電柱に仮固定される固定部材と、傾倒姿勢と起立姿勢とに姿勢が転換するように前記固定部材の先端側に立設された揺動部材と、前記固定部材と揺動部材とに架け渡され、揺動部材の姿勢を転換させる操作手段と、揺動部材と架線とを連結する連結部材と、一端部側が前記揺動部材にスライド自在に支持され、他端部側が耐張碍子の方に向けられるバーと、該バーの他端部に取り付けられ、前記耐張碍子を保持する碍子保持部材とが備えられていることを特徴とする腕金交換装置。
【請求項２】
前記バーの他端部側をスライド自在に支持する支持部材が前記固定部材の基端側から耐張碍子の方に向けて立設されていることを特徴とする請求項１に記載の腕金交換装置。
【請求項３】
前記支持部材は、固定部材から耐張碍子に向かって突出させる固定位置、及び／又は電柱から離間する方向の固定位置を調整することができるように固定部材に固定されていることを特徴とする請求項２に記載の腕金交換装置。
【請求項４】
前記揺動部材の先端には、架線が脱落しないようにガイドする二股部が設けられていることを特徴とする請求項１から３のいずれか１項に記載の腕金交換装置。
【請求項５】
前記操作手段は、固定部材及び揺動部材から着脱自在とされていることを特徴とする請求項１ないし４のいずれか１項に記載の腕金交換装置。
【発明の詳細な説明】
【技術分野】
【０００１】
本発明は、電柱に固定された腕金を交換するための腕金交換装置に関し、詳しくは、横向きの耐張碍子を備えている引留具が取り付けられた腕金を交換するための腕金交換装置に関する。
【背景技術】
【０００２】
電線や電話線などの架線は、電柱に固定されている腕金に架設されている。この腕金を交換するための吊上げ式仮腕木が特許文献１に開示されている。
【０００３】
この吊上げ式仮腕木は、電柱に固定される固定部材と、電柱に直交して固定部材に保持される細長いアーム部材と、アーム部材に取り付けられる吊上げ部材とを備えている。吊上げ部は、電線を緊線状態のまま腕金から吊り上げるためのもので、吊り下げられた状態の吊上げベルトを巻き取り、巻き戻すための巻取り部を備えている。
【０００４】
この吊上げ式仮腕木は、固定部材が腕金よりも上側の位置で電柱に固定され、アーム部材が腕金と平行に配置される。そして、アーム部材から吊り下げられた状態の吊上げベルトの先端に電線が巻き付けられ、吊上げベルトを巻き取ることによって、電線が張線状態のまま仮保持されて上昇し、碍子や腕金が交換される。
【先行技術文献】
【特許文献】
【０００５】
【特許文献１】特開平６−１５３３４３号公報
【発明の概要】
【発明が解決しようとする課題】
【０００６】
特許文献１に開示された吊上げ式仮腕木は、吊上げベルトの先端に電線を巻き付けなければならないことから、停電作業となり、電気需用者に大きな影響を与える。さらに、特許文献１に開示された吊上げ式仮腕木は、縦向きのピン碍子を固定した腕金を交換することができるものの、図１３に示すような引留具１１０を取り付けた腕金１０１を交換することができない。
【０００７】
図示した引留具１１０は、横向きの耐張碍子１１１ａ，１１１ｂが２個直列され（図示しないが、１個又は３個以上の耐張碍子が連結される場合もある。）、一方の耐張碍子１１１ａの一端部にストラップ１１２が連結され、他方の耐張碍子１１１ｂの他端部に引留クランプ（図示せず）が連結され、引留クランプがカバー１１４に覆われている。前記ストラップ１１２が腕金１０１に取り付けられ、引留クランプが電線１００を保持することによって、電線１００が電柱１０３に固定された腕金１０１に架設される。
【０００８】
このような引留具１１０は、ストラップ１１２が腕金１０１から外されると、ストラップ１１２及び耐張碍子１１１ａ，１１１ｂが垂れ下がり、作業者が負傷することがある。したがって、このような引留具１１０が取り付けられた腕金１０１は、容易に交換することができない。
【０００９】
そこで、本発明は、横向きの耐張碍子にどを備えている引留具が取り付けられた腕金を安全に、また、架線が電線の場合に、通電した状態であっても交換することができるようにした腕金交換装置を提供することを課題とする。
【課題を解決するための手段】
【００１０】
本発明に係る腕金交換装置は、電柱に固定され、かつ、１個又は直列に連結された複数個の横向きの耐張碍子を備えている引留具が取り付けられた腕金を交換するための腕金交換装置であって、架線に沿う方向に電柱に仮固定される固定部材と、傾倒姿勢と起立姿勢とに姿勢が転換するように前記固定部材の先端側に立設された揺動部材と、前記固定部材と揺動部材とに架け渡され、揺動部材の姿勢を転換させる操作手段と、揺動部材と架線とを連結する連結部材と、一端部側が前記揺動部材にスライド自在に支持され、他端部側が耐張碍子の方に向けられるバーと、該バーの他端部に取り付けられ、前記耐張碍子を保持する碍子保持部材とが備えられていることを特徴としている。
【００１１】
この腕金交換装置によれば、固定部材が例えば交換する腕金の下側において架線に沿う方向に電柱に仮固定され、揺動部材がその先端側を電柱から離れるように傾倒姿勢とされ、この揺動部材の先端側と架線とが連結部材によって連結され、碍子保持部材が耐張碍子を保持した状態とした上で、操作手段を操作して、揺動部材を傾倒姿勢から起立姿勢又は電柱に近づく傾倒姿勢とする。
【００１２】
すると、連結部材に連結されている架線の部分が腕金側に引き寄せられ、架線から引留具を介して腕金に加えられていたテンションが、この腕金交換装置の連結部材から揺動部材、固定部材に転換され、腕金にテンションが加えられないようにすることができる。このような状態において、ストラップを腕金から外し、腕金を交換する。
【００１３】
そして、交換された新しい腕金に引留具を取り付け、その後、操作手段を操作することにより、揺動部材を起立姿勢又は電柱に近づいた方向に傾倒した姿勢から、電柱から離れる傾斜姿勢とし、架線から揺動部材、固定部材に加えられていたテンションを引留具から交換された新しい腕金に転換し、揺動部材に加えられないようにする。最後に、固定部材を電柱から外すと、一連の作業が終了する。
【００１４】
また、前記本発明に係る腕金交換装置において、前記バーの他端部側をスライド自在に支持する支持部材が前記固定部材の基端側から耐張碍子の方に向けて立設されていることが好ましい。
【００１５】
この腕金交換装置によれば、支持部材が固定部材の基端側に立設され、支持部材がバーの他端側をスライド自在に支持することにより、バーの他端部に取り付けられた碍子保持部材が耐張碍子を保持した状態において、耐張碍子を支持部材によっても支承した状態とすることができる。
【００１６】
また、前記本発明に係る腕金交換装置において、前記支持部材は、固定部材から耐張碍子に向かって突出させる固定位置、及び／又は電柱から離間する方向の固定位置を調整することができるように固定部材に固定されていることが好ましい。
【００１７】
この腕金交換装置によれば、支持部材が固定部材から耐張碍子に向かって突出させる固定位置を調整して固定部材に固定されることにより、固定部材を電柱に仮固定する位置がある程度上下しても、支持部材がバーを的確な姿勢で支持することができる。そして、支持部材が電柱から離間する方向の固定位置を調整して固定部材に固定されることにより、引留具の長さなどが異なっていていても、支持部材を鉛直姿勢としてバーを支持することができる。
【００１８】
また、前記本発明に係る腕金交換装置において、前記揺動部材の先端には、架線が脱落しないようにガイドする二股部が設けられていることが好ましい。
【００１９】
この腕金交換装置によれば、揺動部材の先端に二股部が設けられていることにより、架線を連結した連結部材が操作手段によって腕金側に引き寄せられ、また戻されるときに、架線が架設されたラインから逸（そ）れないようにすることができる。
【００２０】
また、前記本発明に係る腕金交換装置において、前記操作手段は、固定部材及び揺動部材から着脱自在とされていることが好ましい。
【００２１】
この腕金交換装置によれば、操作手段が固定部材及び揺動部材から着脱自在とされていることにより、操作手段を固定部材及び揺動部材から外した状態で固定部材を電柱に仮固定することができ、作業性が向上するとともに、操作手段が故障しやすい場合において、故障していない操作手段に交換して使用することができる。
【発明の効果】
【００２２】
本発明によれば、腕金が横向きの耐張碍子を備えている引留具に取り付けられている場合であっても、この腕金を安全に交換することができ、しかも、架線が電線の場合おいて、間接活線工具を使用して作業することができるため、停電となることがなく、電気需用者に不便を掛けないようにすることができる。
【図面の簡単な説明】
【００２３】
【図１】本発明に係る腕金交換装置の一実施形態を示す正面図である。
【図２】本発明に係る腕金交換装置によって腕金を交換する第１の段階を示す正面図である。
【図３】本発明に係る腕金交換装置によって腕金を交換する第２の段階を示す正面図である。
【図４】本発明に係る腕金交換装置によって腕金を交換する第３の段階を示す正面図である。
【図５】本発明に係る腕金交換装置によって腕金を交換する第４の段階を示す正面図である。
【図６】本発明に係る腕金交換装置によって腕金を交換する第５の段階を示す正面図である。
【図７】本発明に係る腕金交換装置によって腕金を交換する第６の段階を示す正面図である。
【図８】本発明に係る腕金交換装置によって腕金を交換する第７の段階を示す正面図である。
【図９】本発明に係る腕金交換装置によって腕金を交換する第８の段階を示す正面図である。
【図１０】本発明に係る腕金交換装置によって腕金を交換する第９段階を示す正面図である。
【図１１】本発明に係る腕金交換装置によって腕金を交換する第１０段階を示す正面図である。
【図１２】本発明に係る腕金交換装置によって腕金を交換する最終の段階を示す正面図である。
【図１３】架線が引留具によって腕金に仮設された状態を示す正面図である。
【発明を実施するための形態】
【００２４】
本発明に係る腕金交換装置の一実施形態について図１ないし図１２を参照しながら説明する。この腕金交換装置は、図１３において説明した引留具１１０によって架線１００を架設した腕金１０１を交換するためのものとして使用する。
【００２５】
すなわち、この引留具１１０は、２個の直線状に直列された耐張碍子１１１ａ，１１１ｂと、電柱１０３に近い側の耐張碍子１１１ａの一端部に連結されたストラップ１１２と、電柱１０３から離れた側の耐張碍子１１１ｂの他端部に連結された引留クランプ（図示せず）と、引留クランプを覆うカバー１１４とを備えている。
【００２６】
また、耐張碍子１１１ａ，１１１ｂは、図示しないが１個のみの場合や３個以上直列される場合もあり、そして、主として磁器によって環状溝を有するように成形され、部分的に金属製芯体（採番せず）が露出している。また、ストラップ１１２は、先端に貫通穴（図示せず）が設けられ、この貫通穴と腕金１０１に設けられた貫通穴とにボルト１１５などが挿通され、ナット１１６が締結されることによって腕金１０１に取り付けられる。
【００２７】
そして、引留クランプが架線１００を保持することから、耐張碍子１１１ａ，１１１ｂ、ストラップ１１２を介して架線１００から腕金１０１にテンションが加えられている。このような引留具１１０は、腕金１０１の所定の位置に配置され、１本ないし３本並列された架線１００をそれぞれ架設する。
【００２８】
そして、本実施形態にける腕金交換装置は、図１に示すように、電柱１０３に仮固定される固定部材１０と、傾倒姿勢と起立姿勢とに姿勢が転換するように固定部材１０の先端側に立設された揺動部材２０と、固定部材１０と揺動部材２０とに架け渡され、揺動部材２０の姿勢を転換させる操作手段３０と、揺動部材２０と架線１００とを連結する連結部材４０と、一端部側が揺動部材２０にスライド自在に支持され、他端部側が耐張碍子１１１ａの方に向けられるバー５０と、このバー５０の他端部に取り付けられ、耐張碍子１１１ａを保持する碍子保持部材６０とを備えている。
【００２９】
固定部材１０は、角筒状又は角柱状に成形され、水平姿勢で電柱１０３に仮固定される。この固定部材１０の基端部側には、腕金１０１の下側において電柱１０３にバンド（図示せず）によって仮固定された仮腕金１０２を上下から挟むストラップ部１１，１１が設けられている。
【００３０】
仮腕金１０２の上面と下面には、貫通穴が複数箇所に設けられており、固定部材１０のストラップ部１１，１１には、仮腕金１０２の貫通穴に連通するに貫通穴が設けられ、仮腕金１０２の貫通穴とストラップ部１１，１１の貫通穴とにボルトが挿通され、ナットが締結されることにより、固定部材１０が仮腕金１０２に仮固定される。
【００３１】
また、固定部材１０には、上側のストラップ部１１に隣り合った位置に、例えば逆Ｕ字形の係止部１２が設けられている。この係止部１２には、操作手段３０の一端部が掛止される。操作手段３０の一端部は、この係止部１２に着脱しやすいようにフック３０ａが設けられている。
【００３２】
そして、揺動部材２０は、固定部材１０の先端部に設けられた係止部１２にピンで固定されることにより、傾倒姿勢と起立姿勢とに姿勢が転換できるようにされている。また、揺動部材２０の先端（上端）には、架線１００が脱落しないようにガイドする、すなわちスライド可能に挟む二股部２１が設けられている。なお、二股部２１は、使用状況に合わせて、設けなくてよい場合がある。
【００３３】
また、揺動部材２０の上部であって、電柱１０３に向き合う側の面と、反対側の面とには、例えばリング状の係止部２２，２３が設けられている。一方の係止部２２には、操作手段３０の他端部に設けられたフック３０ｂが係止される。
【００３４】
そして、操作手段３０は、揺動部材２０を傾倒姿勢と起立姿勢とに遠隔操作によって転換させることができるものであれば限定しないが、例えば、シリンダ３１と、このシリンダ３１内を２室に仕切るピストン（図示せず）と、ピストンに固定されてシリンダの他端側に突出・退入するピストンロッド３２とを備えたものとすることができる。なお、この操作手段３０にあっては、一方のフック３０ａがシリンダ３１の基端部に設けられ、他方のフック３０ｂがピストンロッド３２の先端部に設けられる。
【００３５】
そして、連結部材４０は、架線１００の心線１００ａ又は被覆体を把持する把持部４１と、揺動部材２０の他方の係止部２３に掛止される掛け具４２と、把持部４１と掛け具４２とを連結する環状のロープやチェーンなどの吊り手部４３とを備えた本体分離型とも称されるものを使用することができる。連結部材４０の掛け具４２は、揺動部材２０の係止部２３から外すことなく使用し、吊り手部４３を容易に着脱できるように、バネ力によって開閉するレバーを有するカラビナを備えたものを使用することが好ましい。
【００３６】
なお、連結部材４０は、図示しないが、架線１００を把持する把持部と揺動部材２０の先端部に固定される円弧状のレバー部を有する連結部とを一体化した本体一体型と称されるものを使用してもよい。
【００３７】
そして、バー５０は、一端部側が連結部材４０にスライド自在に支持され、他端部側が耐張碍子１１１ａの方に向けられ、水平姿勢ないし他端部側がやや上向きとされた傾斜姿勢とされる。このバー５０は、先端側が固定部材１０に立設された支持部材７０にスライド自在に支持される。
【００３８】
支持部材７０は、鉛直姿勢ないし鉛直方向からやや傾いた姿勢とされる扁平棒状の支柱部７１と、固定部材１０を外嵌し、かつ、前記支柱部７１を貫通させる一対のスリットを上下面に対向するように形成した角筒状のスライド部７２とを備えている。したがって、支柱部７１は、固定部材１０とスライド部７２の一つの面との間に挟まれる状態となる。
【００３９】
また、支柱部７１の上端部は、バー５０の他端部側をスライド可能に挟む状態にガイドする二股部７１ａが設けられている。
【００４０】
また、支柱部７１の少なくとも下側部には、固定孔７１ｂ，７１ｂ，…が長さ方向に多数形成され、スライド部７２が支柱部７１と重なり合う面には、雌ネジが形成されている。そして、蝶ネジなどの固定具７３がスライド部７２の雌ネジから支柱部７１の固定孔７１ｂを貫通し、先端部が固定部材１０の側面を押圧することにより、支柱部７１が所定の位置に固定される。
【００４１】
すなわち、固定具７３が支柱部７１の上側の固定孔７１ｂを貫通することにより、二股部７１ａは下寄りに位置し、固定具７３が支柱部７１の下側の固定孔７１ｂを貫通することにより、二股部７１ａは上寄りに位置する。また、スライド部７２が固定部材１０を外嵌することにより、スライド部７２を電柱１０３に近接する位置から離隔する位置まで任意の位置に固定することができる。
【００４２】
そして、バー５０の他端部に取り付けられる碍子保持部材６０は、例えば、耐張碍子１１１ａの環状溝部又は金属製芯体を半周程度囲むほぼＵ字形のホルダー部と、耐張碍子１１１ａの環状溝部又は金属製芯体に接離するようにスライドするＩ字形の押圧部と、この押圧部が耐張碍子１１１ａを押圧した状態を維持させるロック部とを備えている。
【００４３】
この腕金交換装置は、以上のように構成され、次に腕金１０１を交換する方法について説明する。なお、下記の作業は、間接活線工具を使用することができる。
【００４４】
まず、図２に示すように、引留具１１０の引留クランプを覆っているカバー１１４付近の架線１００の被覆体を剥ぎ取り、心線１００ａを露出させておく。なお、架線１００から耐張碍子１１１ａ，１１１ｂ、ストラップ１１２を介して腕金１０２にテンションが加えられている。
【００４５】
次に、図３に示すように、連結部材４０の把持部４１が露出した心線１００ａを把持し、連結部材４０が架線１００を腕金１０１側に引き寄せることができるようにする。なお、連結部材４０が被覆体を把持し、被覆体と心線１００ａとが滑ることなく架線１００を引き寄せることができれば、心線１００ａを露出させることなく、把持部４１が架線１００の被覆体を把持してもよい。
【００４６】
そして、図４に示すように、腕金１０１の下側の電柱１０３に仮腕金１０２を仮固定し、この仮腕金１０２に固定部材１０のストラップ部１１，１１を仮固定する。なお、固定部材１０には操作手段３０が取り付けられておらず、その分だけ軽量化され、固定部材１０を仮腕金１０２に仮固定する負担が軽減されている。
【００４７】
また、固定部材１０は、架線１００に沿う方向、図面ではカバー１１４の下側に水平姿勢で仮固定され、先端部が連結部材４０とカバー１１４との間に位置している。そして、固定部材１０の先端側に取り付けられた揺動部材２０は傾倒した姿勢であり、先端側が連結部材４０の把持部４１の方を向いている。また、揺動部材２０の他方の係止部２３には、連結部材４０の掛け具４２が予め取り付けられている。
【００４８】
そして、図５に示すように、作業者が間接活線先端工具などを使用する遠隔操作によって揺動部材２０を僅かに起こした傾斜姿勢としたうえで、既に架線１００を把持している連結部材４０の吊り手部４３を揺動部材２０に取り付けられている掛け具４２に係止する。
【００４９】
次に、図６に示すように、操作手段３０を固定部材１０と揺動部材２０とに架け渡す。すなわち、操作手段３０のシリンダ３１に設けられた一方のフック３０ａを固定部材１０の係止部１２に係止し、ピストンロッド３２に設けられた他方のフック３０ｂを揺動部材２０の一方の係止部２２に係止する。なお、この初期状態の操作手段３０は、ピストンロッド３２が伸長した状態となっている。
【００５０】
次に、図７に示すように、作業者が操作手段３０を遠隔操作し、ピストンロッド３２を僅かに縮退させることにより、揺動部材２０を少し起立した姿勢とし、連結部材４０が架線１００を僅かに引っ張るようにする。
【００５１】
次に、図８に示すように、支持部材７０の支柱部７１をスライド部７２によって所望の位置に立設した状態とし、この支柱部７１の上端部の二股部７１ａと揺動部材２０との間にバー５０をスライド自在に架け渡す。また、バー５０の他端部には、碍子保持部材６０が取り付けられており、この碍子保持部材６０が耐圧碍子１１１ａを保持した状態とする。支柱部７１が固定部材１０の所望の位置に立設されることにより、仮腕金１０２の仮固定位置が所定の位置よりも若干上下しても、さらに、耐張碍子１１１ａ，１１１ｂの長さが異なっていても、バー５０を所期の姿勢とすることができる。
【００５２】
次に、図１に示すように、作業者が操作手段３０を遠隔操作し、ピストンロッド３２を縮退させることにより揺動部材２０を起立姿勢、又は図示しないが電柱１０３側に僅かに傾いた姿勢とする。
【００５３】
すると、連結部材４０の把持部４１に把持されている部分の架線１００が電柱１０３側に引き寄せられ（例えば５ｃｍ程度）、架線１００から耐張碍子１１１ａ，１１１ｂそしてストラップ１１２を介して腕金１０１に加えられていたテンションが揺動部材２０から固定部材１０を介して仮腕金１０２の方に転換される。したがって、腕金１０１には、架線１００からテンションが加えられなくなる。
【００５４】
なお、架線１００は、引き寄せられる際に、揺動部材２０の二股部２１にガイドされ、架設されたラインから逸（そ）れないようにされている。
【００５５】
次に、図９に示すように、反対側（図面において左側）にも腕金交換装置を前記と同じ方法によって仮固定する。すなわち、この反対側の腕金交換装置も、電柱１０３に新たに仮固定された仮腕金１０２に固定部材１０が仮固定され、揺動部材２０が図示しない傾斜した姿勢となっている。
【００５６】
そして、揺動部材２０を起立姿勢とすることにより、反対側の架線から耐張碍子１１１ａ，１１１ｂそしてストラップ１１２を介して腕金１０１に加えられていたテンションを揺動部材２０から固定部材１０を介して仮腕金１０２の方に転換する。すると、腕金１０１には両方の架線１００，１００からストラップ１１２，１１２を介してテンションが加えられなくなる。
【００５７】
次に、図１０に示すように、ナット１１６をボルト１１６から外すことにより、両ストラップ１１２，１１２を腕金１０１から外し、この腕金１０１を電柱１０３から外す。このとき、各ストラップ１１２を連結している各耐張碍子１１１ａが碍子保持部材６０に保持され、各碍子保持部材６０が各バー５０に取り付けられ、各バー５０が各揺動部材２０と各支持部材７０の支柱部７１とに支持されていることから、各耐張碍子１１１ａ，１１１ｂは垂れ下がった姿勢となることなく、腕金１０１の方を向いた姿勢を維持している。
【００５８】
続いて、新しい腕金１０１を電柱１０３に取り付ける。新しい腕金１０１に両ストラップ１１２，１１２を取り付ける（図９と同じ状態となる。）。各ストラップ１１２は、耐張碍子１１１ａに連結され、耐張碍子１１１ａが腕金１０１の方を向いた姿勢を維持し、さらに、テンションが加えられていないことから、ストラップ１１２を新しい腕金１０１に容易に取り付けることができる。
【００５９】
次に、図１１に示すように、両方の操作手段３０を操作して、ピストンロッド３２を伸長させることにより、揺動部材２０を傾倒姿勢とする。すると、架線１００から揺動部材２０、固定部材１０を介して仮腕金１０２に加えられていたテンションが耐張碍子１１１ａ，１１１ｂ、ストラップ１１２を介して交換された新しい腕金１０１に転換される。
【００６０】
次に、碍子保持部材６０を耐張碍子１１１ａから外し、バー５０及び支持部材７０の支柱部７１を取り外す。続いて、操作手段３０を固定部材１０及び揺動部材２０から取り外すとともに、連結部材４０の吊り手部４３を揺動部材２０に取り付けられている掛け具４２から外す。
【００６１】
次に、この本体部材１０を仮腕金１０２から取り外すとともに、仮腕金１０２を電柱１０３から外す。そして、架線１００を把持していた連結部材４０の把持部４１を架線１００から外し、最後に図１２に示すように、露出した心線１００ａを絶縁テープなどの被覆体１００ｂによって被覆することにより、一連の作業が終了する。
【００６２】
なお、本発明は、前記実施の形態に限定することなく、種々変更することができる。例えば、操作手段３０は、固定部材１０及び揺動部材２０から着脱自在とすることなく、取り付けられたままのものとしてもよい。
【００６３】
また、支持部材７０は、バー５０を安定した状態に支承するためのものであるため、耐張碍子１１１ａ，１１１ｂに向かって突出させる固定位置、又は電柱１０３から離間する方向の固定位置のいずれかのみ調整することができるようにしてもよいし、あるいは、揺動部材２０がステー（図示せず）などによってバー５０を安定した状態に、かつ、任意の姿勢で支承できるようにすることにより、備えないものとしてもよい。
【００６４】
また、本発明の腕金交換装置は、停電とすることなく、腕金１０１を交換することができるが、状況に応じて、停電として腕金１０１を交換してもよい。
【符号の説明】
【００６５】
１０………固定部材
２０………揺動部材
２１………二股部
３０………操作手段
４０………連結部材
５０………バー
６０………碍子保持部材
７０………支持部材
１００……架線
１０１……腕金
１０３……電柱
１１１ａ…耐張碍子
１１２……ストラップ
【図１】
2010273435.tif 000003
【図２】
2010273435.tif 000004
【図３】
2010273435.tif 000005
【図４】
2010273435.tif 000006
【図５】
2010273435.tif 000007
【図６】
2010273435.tif 000008
【図７】
2010273435.tif 000009
【図８】
2010273435.tif 000010
【図９】
2010273435.tif 000011
【図１０】
2010273435.tif 000012
【図１１】
2010273435.tif 000013
【図１２】
2010273435.tif 000014
【図１３】
2010273435.tif 000015